(57)【要約】【課題】指または手などの生体の濡れや汚れにより取り込みエラーが発生する可能性がある生体認証装置において、通常の取り込み操作時に濡れや汚れを除去して認証エラーを低減した生体認証装置の提供することを目的とする。【解決手段】平面形状が曲線状で断面が突起状で構成されるリムーバー部１１上を指または手などの生体をスライドさせることで、通常の取り込み操作時に取り込みエラーの要因となる濡れや汚れを取り除くことにより認証エラーをより低減できる。【選択図】図１
2007257413.tif 000002
【特許請求の範囲】
【請求項１】
指または手をセンサー上でスライドさせて指紋または静脈パターンを取得する生体認証センサー部と、
指紋または静脈パターンをより正しく取り込むために指または手の操作を導くためのガイド部と、
前記ガイド部上の取り込み動作の過程で指または手が前記生体認証センサー部に触れる以前に接触する位置に指または手の濡れや汚れを取り除くリムーバー部と、
を備えたことを特徴とする生体認証装置。
【請求項２】
前記リムーバー部が指または手をその上でスライドさせることにより濡れや汚れをそぎ落とす平面形状が曲線状または直線状で断面が突起状からなることを特徴とする請求項１記載の生体認証装置。
【請求項３】
前記リムーバー部は指または手を前記リムーバー部上でスライドさせることにより濡れや汚れを落とす表面に凹凸が形成されている平面状であることを特徴とする請求項１記載の生体認証装置。
【請求項４】
前記リムーバー部が指または手をその上でスライドさせることにより濡れや汚れを拭き取る平面状の繊維または皮革からなることを特徴とする請求項１記載の生体認証装置。
【請求項５】
前記リムーバー部が容易に交換できるように面ファスナーで貼り付けることを特徴とする請求項３または請求項４に記載の生体認証装置。
【発明の詳細な説明】
【技術分野】
【０００１】
本発明は、指紋や静脈パターンなどの生体情報を取得して個人を特定するための生体認証装置に関するものである。
【背景技術】
【０００２】
近年、セキュリティに対する関心が高く、パーソナルコンピュータ（以下、ＰＣ）や携帯端末などの情報機器のみならず、金融機関やホームセキュリティの分野にも指紋認証や静脈認証などの技術が用いられている。
【０００３】
従来、生体認証の一つである指紋センサーをＰＣや携帯端末などの情報機器に搭載する場合は小型化が容易な静電容量方式が用いられることが多い。特にこの方式では指が濡れている、または汚れていると正しく指紋データを取得できず、結果として本人であっても認証に失敗する可能性がある。
【０００４】
以下に従来の指紋センサー搭載ＰＣについて説明する。図９は従来の指紋認証装置を搭載するＰＣの構成図である。図９において、９１は生体認証装置、９２は生体認証センサー部、９３はガイド部で、指や手などの濡れや汚れを落とす機能を持たないため、使用状況によっては取り込みに失敗するという問題点を有していた。
【特許文献１】特開２００５−２８６５４９号公報
【発明の開示】
【発明が解決しようとする課題】
【０００５】
従来の生体認証装置搭載の情報機器においては、生体認証センサーが生体の濡れや汚れにより正しく生体情報を取り込めない可能性があっても、セットとして生体の濡れや汚れを積極的に排除するしくみを備えていない。したがって、生体センサーの性能向上を期待するか、使用者への注意を喚起する程度の対応しかできず、使用状況によっては認証の精度が悪化するという問題点を有していた。
【０００６】
本発明は、上記従来の問題点を解決するもので、データの取り込みエラーの要因となる生体の濡れや汚れを排除して、使用状況に依存せず高い認証精度を維持する生体認証装置を提供することを目的とする。
【課題を解決するための手段】
【０００７】
本発明の請求項１に記載の発明は、指または手をセンサー上でスライドさせて指紋または静脈パターンを取得する生体認証センサー部と、指紋または静脈パターンを正しく取り込むために指または手の操作を導くためのガイド部と、前記ガイド部上の取り込み動作の過程で指または手が前記生体認証センサー部に触れる以前に接触する位置に指または手の濡れや汚れを取り除くリムーバー部とを備えたことを特徴とする生体認証装置としたものであり、
通常の取り込み動作の過程で最初に手や指を置く位置にリムーバー部を配置し、取り込み動作により指や手をスライドさせることで指や手がリムーバー部に接触しながら移動して濡れや汚れを排除するという作用を有する。
【０００８】
請求項２に記載の発明は、前記リムーバー部が指または手をその上でスライドさせることにより濡れや汚れをそぎ落とす平面形状が曲線状または直線状で断面が突起状からなることを特徴とする請求項１記載の生体認証装置としたものであり、
直線状または曲線状の突起で構成されたリムーバー部の上を指または手をスライドさせることで濡れや汚れをそぎ落とすという作用を有する。
【０００９】
請求項３に記載の発明は、前記リムーバー部は指または手を前記リムーバー部上でスライドさせることにより濡れや汚れを落とす表面に凹凸が形成されている平面状であることを特徴とする請求項１記載の生体認証装置としたものであり、
平面状の凹凸で構成されたリムーバー部の上を指または手をスライドさせることで濡れや汚れを落とすという作用を有する。
【００１０】
請求項４に記載の発明は、前記リムーバー部が指または手をその上でスライドさせることにより濡れや汚れを拭き取る平面状の繊維または皮革からなることを特徴とする請求項１記載の生体認証装置としたものであり、平面状の繊維または皮革で構成されたリムーバー部の上を指または手をスライドさせることで濡れや汚れを拭き取るという作用を有する。
【００１１】
請求項５に記載の発明は、前記リムーバー部が容易に交換できるように面ファスナーで貼り付けることを特徴とする請求項３または請求項４記載の生体認証装置としたものであり、
汚れたリムーバー部を容易に交換できるという作用を有する。
【発明の効果】
【００１２】
以上のように本発明は、指紋または静脈パターンなどの生体情報の通常の取り込み動作の過程で濡れや汚れなどに起因する取り込みエラーの要因を排除し、取り込みエラーの発生を低減するという優れた効果が得られる。
【発明を実施するための最良の形態】
【００１３】
以下、本発明の実施の形態について、図１から図５を用いて説明する。
【００１４】
（実施の形態１）
図１（ａ）は本発明の実施の形態１における生体認証装置の構成図、図１（ｂ）はその断面図、図２は操作手順を示した図である。
【００１５】
図１において、１１は指をセンサー上でスライドさせて指紋を取得する指紋センサー部、１２は指紋を正しく取り込むために指の操作を導くためのガイド部、１３はガイド部１２上に配置された指の濡れや汚れを取り除くリムーバー部であり、図１（ａ）では平面形状は曲線状の図１（ｂ）の断面では突起状である。図中の矢印は通常の取り込み動作の過程で指または手をスライドさせる方向を示している。
【００１６】
図２において、操作手順および指の濡れや汚れを取り除く仕組みを説明する。指紋を取り込む通常の操作として、まず（Ａ）の位置に指を置き、（B）、（C）、（D）へと指を移動させて指紋センサー１１上に指をスライドさせることで指紋情報を取り込む。このとき指が濡れていたり、汚れていたりしている場合は、（B）および（C）の過程でリムーバー部１３上を指が移動することで濡れや汚れがそぎ落とされ、（D）の過程では取り込みエラーを引き起こす要因が排除されており、指紋情報をより正しく取り込むことができる。
【００１７】
以上のように本実施の形態によれば、平面形状が曲線状の突起状のリムーバーを設けることにより、通常の指紋情報の取り込み操作を行うことができる。
【００１８】
なお、以上の説明ではリムーバー部１３の平面形状は曲線状としたが、直線状としてもよい。
【００１９】
また、本実施の形態において、生体認証センサーとして指紋センサー１１を設けたが、静脈センサーとしても良いし、それ以外の他の方式のセンサーでも良い。
【００２０】
（実施の形態２）
図３（ａ）は本発明の実施の形態２における生体認証装置の構成図、図３（ｂ）はその断面図である。図３において、３１は指をセンサー上でスライドさせて指紋を取得する指紋センサー部、３２は指紋を正しく取り込むために指の操作を導くためのガイド部、３３はガイド部３２上に配置された指の濡れや汚れを取り除くリムーバー部であり、表面には細かい凹凸が形成されている。図中の矢印は通常の取り込み動作の過程で指または手をスライドさせる方向を示している。また操作手順は図１と同様でリムーバー部３３上を指が移動することで濡れや汚れが落とされ、指紋情報をより正しく取り込むことができる。
【００２１】
また、本実施の形態において、生体認証センサーとして指紋センサー３１を設けたが、静脈センサーとしても良いし、それ以外の他の方式のセンサーでも良い。
【００２２】
また、リムーバー部３３は表面に凹凸を形成した平面状樹脂が好適である。
【００２３】
（実施の形態３）
図４（ａ）は本発明の実施の形態３における生体認証装置の構成図、図４（ｂ）その断面図である。図４において、４１は指をセンサー上でスライドさせて指紋を取得する指紋センサー部、４２は指紋を正しく取り込むために指の操作を導くためのガイド部、４３はガイド部４２上に配置された指の濡れや汚れを取り除くリムーバー部で平面状の繊維または皮革で構成される。図中の矢印は通常の取り込み動作の過程で指または手をスライドさせる方向を示している。また操作手順は図１と同様でリムーバー部４３上を指が移動することで濡れや汚れが拭き取られ、指紋情報をより正しく取り込むことができる。
【００２４】
また、本実施の形態において、生体認証センサーとして指紋センサー４１を設けたが、静脈センサーとしても良いし、それ以外の他の方式のセンサーでも良い。
【００２５】
（実施の形態４）
図５は本発明の実施の形態４における生体認証装置の構成の断面図である。
【００２６】
図５において、５１は指をセンサー上でスライドさせて指紋を取得する指紋センサー部、５２は指紋を正しく取り込むために指の操作を導くためのガイド部、５３はガイド部５２上に配置された指の濡れや汚れを取り除くリムーバー部で５４の面ファスナー部によりガイド部５２に取り付けられているため容易に交換が可能な構造となっている。図中の矢印は通常の取り込み動作の過程で指または手をスライドさせる方向を示している。また操作手順は図１と同様でリムーバー部５３上を指が移動することで濡れや汚れが拭き取られ、指紋情報をより正しく取り込むことができる。
【産業上の利用可能性】
【００２７】
本発明にかかる生体認証装置は、通常の取り込み動作の過程で濡れや汚れなどの取り込みエラーの要因を排除し、取り込みエラーの発生を低減するという効果を有し、生体認証センサーを搭載した情報機器の取り込みエラーを軽減する技術として有用である。
【図面の簡単な説明】
【００２８】
【図１】本発明の実施の形態１における生体認証装置の構成図
【図２】同実施の形態１における生体認証装置の操作手順を示した図
【図３】本発明の実施の形態２における生体認証装置の構成図
【図４】本発明の実施の形態３における生体認証装置の構成図
【図５】本発明の実施の形態４における生体認証装置の構成の断面図
【図６】従来の生体認証装置を搭載したＰＣの構成図
【符号の説明】
【００２９】
１１，３１，４１，５１  指紋センサー部
１２，３２，４２，５２、６３  ガイド部
１３，３３，４３，５３  リムーバー部
５４  面ファスナー部
６１  生体認証装置
６２  生体認証センサー部
【図１】
2007257413.tif 000003
【図２】
2007257413.tif 000004
【図３】
2007257413.tif 000005
【図４】
2007257413.tif 000006
【図５】
2007257413.tif 000007
【図６】
2007257413.tif 000008